(57)【特許請求の範囲】
【請求項１】
複数のネットワーク・エレメント間にオーダワイヤ回線を設定するオーダワイヤ制御システムに於いて、
前記複数のネットワーク・エレメントは、オーダワイヤ回線を設定するオーダワイヤ制御装置を備え、
該オーダワイヤ制御装置は、オーダワイヤ用バイトとオーダワイヤ回線を設定する為の回線接続設定情報バイトとを分離抽出する入力ポート対応の通信手段と、前記オーダワイヤ用バイトの選択加算機能を含む回線接続手段と、該回線接続手段からのオーダワイヤ用バイトと回線接続設定情報バイトとを多重化して送出する出力ポート対応の通信手段と、前記回線接続設定情報バイトの処理する設定制御手段とを備え、
前記複数のネットワーク・エレメントの中の１個をマスタ局に設定し、該マスタ局の前記設定制御手段は、最小値の回線接続設定情報バイトを全出力ポートから送出し、最大値の回線接続設定情報バイトを受信した入力ポートと該入力ポート対応の出力ポートとを組としてオーダワイヤ回線用のポートに設定する制御機能を備え、前記マスタ局を除く他のネットワーク・エレメントの前記設定制御手段は、複数の入力ポート対応の受信した回線接続設定情報バイトを所定のタイミングで比較し、受信した最小値の回線接続設定情報バイトの入力ポートが単一の時は該入力ポートを選択し、複数の時は予め設定した順位で入力ポートを選択し、選択した入力ポートを受信元とし、該受信元として選択した入力ポート対応の出力ポートから最大値の回線接続設定情報バイトを返送し、且つ他の出力ポートから、前記受信した最小値の回線接続設定情報バイトに１を加算した値の回線接続設定情報バイトを送出し、前記受信元として選択した入力ポート及び該入力ポート対応の出力ポートと、前記最大値の回線接続設定情報バイトを受信した入力ポート及び該入力ポート対応の出力ポートとを前記オーダワイヤ回線用のポートに設定する制御機能を備えた
ことを特徴とするオーダワイヤ制御システム。
【請求項２】
オーダワイヤ回線を形成する為のオーダワイヤ制御装置を備えたネットワーク・エレメントに於いて、
前記オーダワイヤ制御装置は、オーダワイヤ用バイトとオーダワイヤ回線を設定する為の回線接続設定情報バイトとを分離抽出する入力ポート対応の通信手段と、前記オーダワイヤ用バイトの選択加算機能を含む回線接続手段と、該回線接続手段からのオーダワイヤ用バイトと回線接続設定情報バイトとを多重化して送出する出力ポート対応の通信手段と、前記回線接続設定情報バイトの処理を行う設定制御手段とを備え、
マスタ局に設定された時の前記設定制御手段は、最小値の回線接続設定情報バイトを全出力ポートから送出し、最大値の回線接続設定情報バイトを受信した入力ポートと該入力ポート対応の出力ポートとを組としてオーダワイヤ回線用のポートに設定する制御機能を備え、前記マスタ局に設定されない時の前記設定制御手段は、複数の入力ポート対応の受信した回線接続設定情報バイトを所定のタイミングで比較し、受信した最小値の回線接続設定情報バイトの入力ポートが単一の時は該入力ポートを選択し、複数の時は予め設定した順位で入力ポートを選択し、選択した入力ポートを受信元とし、該受信元として選択した入力ポート対応の出力ポートから最大値の回線接続設定情報バイトを返送し、且つ他の出力ポートから、前記受信した最小値の回線接続設定情報バイトに１を加算した値の回線接続設定情報バイトを送出し、前記受信元として選択した入力ポート及び該入力ポート対応の出力ポートと、前記最大値の回線接続設定情報バイトを受信した入力ポート及び該入力ポート対応の出力ポートとを前記オーダワイヤ回線用のポートに設定する制御機能を備えた
ことを特徴とするネットワーク・エレメント。
【請求項３】
複数のネットワーク・エレメント間にオーダワイヤ回線を設定するオーダワイヤ制御方法に於いて、
前記複数のネットワーク・エレメントは、オーダワイヤ用バイトとオーダワイヤ回線を設定する為の回線接続設定情報バイトとを分離抽出する入力ポート対応の通信手段と、前記オーダワイヤ用バイトの選択加算機能を含む回線接続手段と、該回線接続手段からのオーダワイヤ用バイトと回線接続設定情報バイトとを多重化して送出する出力ポート対応の通信手段と、前記回線接続設定情報バイトを処理する設定制御手段とを含むオーダワイヤ制御装置を備え、前記複数のネットワーク・エレメントの中の１個をマスタ局に設定し、該マスタ局に設定したネットワーク・エレメントの前記オーダワイヤ制御装置の前記設定制御手段は、最小値の回線接続設定情報バイトを全出力ポートから送出し、最大値の回線接続設定情報バイトを受信した入力ポートと該入力ポート対応の出力ポートとを組としてオーダワイヤ回線用のポートに設定し、前記マスタ局を除く他のネットワーク・エレメントの前記オーダワイヤ制御装置の前記設定制御手段は、複数の入力ポート対応の受信した回線接続設定情報バイトを所定のタイミングで比較し、受信した最小値の回線接続設定情報バイトの入力ポートが単一の時は該入力ポートを選択し、複数の時は予め設定した順位で入力ポートを選択し、選択した入力ポートを受信元とし、該入力ポート対応の出力ポートから最大値の回線接続設定情報バイトを返送し、且つ他の出力ポートから、前記受信した最小値の受信回線接続設定情報バイトに１を加算した値の回線接続設定情報バイトを送出し、前記選択した受信元とした入力ポート及び該入力ポート対応の出力ポートと、前記最大値の回線接続設定情報バイトを受信した入力ポート及び該入力ポート対応の出力ポートとを、オーダワイヤ回線用のポートに設定する過程を含む
ことを特徴とするオーダワイヤ制御方法。
【請求項４】
前記複数のネットワーク・エレメントの中の１個をマスタ局に設定し、該マスタ局は、最小値の回線接続設定情報バイトを全出力ポートから送出し、最大値の回線接続設定情報バイトを受信した入力ポートと、該入力ポート対応の出力ポートとを組として、オーダワイヤ回線用のポートに設定する過程を含むことを特徴とする請求項３記載のオーダワイヤ制御方法。
【発明の詳細な説明】
【０００１】
【発明の属する技術分野】
本発明は、複数のネットワーク・エレメントをリング状，メッシュ状等に接続したネットワークに於いて、ネットワーク・エレメント間の打合せ通話等を可能とするオーダワイヤ回線を設定制御するオーダワイヤ制御システム及びネットワーク・エレメント及びオーダワイヤ制御方法に関する。
【０００２】
【従来の技術】
複数のネットワーク・エレメント（以下、「ＮＥ」（Ｎｅｔｗｏｒｋ  Ｅｌｅｍｅｎｔ）と略称する）をリング状の伝送路により接続したリングネットワーク又はこのようなネットワークを複数個接続したネットワーク、或いは、複数のＮＥをメッシュ状に伝送路により接続した大規模のネットワークが知られている。又高速多重伝送の為に、ＳＯＮＥＴ（Ｓｙｎｃｈｒｏｎｏｕｓ  ＯｐｔｉｃａｌＮｅｔｗｏｒｋ）／ＳＤＨ（Ｓｙｎｃｈｒｏｎｏｕｓ  Ｄｉｇｉｔａｌ  Ｈｉｅｒａｒｃｈｙ）方式が標準化されている。
【０００３】
例えば、図１４の（Ａ）に示すように、複数のＮＥ１〜ＮＥ４を二重リング伝送路により接続してリングネットワークを構成した場合、各ＮＥ１〜ＮＥ４には保守者等が打合せ通話を可能とする電話機が接続されている。このリングネットワークに、前述の標準化されたＳＯＮＥＴ／ＳＤＨ方式を適用するものであり、そのフレームフォーマットは、ＳＴＭ−１（ＯＣ−３）（１５５Ｍｂｐｓ）の場合、図１５に示すものとなる。即ち、オーバーヘッドは９列構成、ペイロードは２６２列構成であり、オーバーヘッドのＳＯＨはセクション・オーバーヘッド（Ｓｅｃｔｉｏｎ  Ｏｖｅｒ  Ｈｅａｄ）、Ｐｏｉｎｔｅｒは、Ｈ１，Ｈ２，Ｈ３バイト構成を有し、又ＬＯＨはライン・オーバーヘッド（Ｌｉｎｅ  Ｏｖｅｒ  Ｈｅａｄ）を示す。
【０００４】
又オーバーヘッドのＡ１，Ａ２はフレーム同期バイト、Ｂ１，Ｂ２は誤り監視バイト、Ｄ１〜Ｄ１２はデータ通信バイト、Ｅ１，Ｅ２はオーダワイヤ用バイト、Ｆ１はネットワーク運用バイト、Ｊ０はセクショントレースバイト、Ｋ１，Ｋ２は自動切替用バイト、Ｚ１，Ｚ２は予備バイトを示す。又これらのバイト以外は空きバイトである。又Ｅ１，Ｅ２バイトを用いてオーダワイヤ回線を形成するものである。
【０００５】
リングネットワーク構成の場合、オーダワイヤ回線もリング状となり、そのままの構成であると、音声情報が巡回して送信元に戻ることによりハウリングが発生する。そこで、マスタ局を例えばＮＥ１とし、他のＮＥ２〜ＮＥ４をスレーブ局として、マスタ局に於いては、ＥＡＳＴ側とＷＥＳＴ側との何れか一方、例えば、ＷＥＳＴ側のオーダワイヤ回線を遮断する。即ち、Ｅ１，Ｅ２バイトを抽出して終端する。それにより、オーダワイヤ回線は、ＮＥ１−ＮＥ４−ＮＥ３−ＮＥ２の経路により構成されてループを形成しないので、ハウリングを防止して、ＮＥ１〜ＮＥ４の相互間の通話が可能となる。即ち、ハウリング防止のループプロテクション機能を設けている。
【０００６】
又図１４の（Ｂ）に示すように、ＮＥ１とＮＥ２との間の回線断の障害が発生すると、マスタ局のＮＥ１は、障害情報を基にＷＥＳＴ側のオーダワイヤ回線を接続する。それにより、回線断の障害が発生しても、ＮＥ１〜ＮＥ４間にオーダワイヤ回線が形成される。又ＮＥ４のＷＥＳＴ側でオーダワイヤ回線を遮断する。この回線断の障害が復旧すると、元の状態に切戻しを行う。即ち、障害救済の為のリングリストア機能を設けている。
【０００７】
又複数のリングネットワーク構成をＮＥを介して相互に接続し、ＳＤＨ／ＳＯＮＥＴ方式を適用して高速多重伝送を行う大規模のネットワークも知られており、このようなネットワークに於いて、リングネットワーク間を接続するＮＥに、オーダワイヤ制御装置を設け、このオーダワイヤ制御装置に於ける音声情報の加算手段を選択接続する設定により、リングネットワーク間を接続するオーダワイヤ回線を設定する構成が知られている（例えば、特開２００１−１２７７８１号公報参照）。
【０００８】
【発明が解決しようとする課題】
複数のリングネットワークを共通ＮＥを介して接続した場合、この共通ＮＥ以外の各リングネットワークの一つのＮＥをマスタ局とすることにより、前述のループプロテクション機能とリングリストア機能とにより、ハウリングを防止し、且つ障害救済が可能のオーダワイヤ回線を設定することができる。しかし、複数のＮＥをメッシュ状に接続したネットワークや、例えば、図１６に示すよう、複数のリングネットワークを複数のＮＥを介して接続したネットワークが知られており、このネットワークに於いて、一方のリングネットワーク側では、ＮＥ１をマスタ局として、そのＷＥＳＴ側のオーダワイヤ回線を遮断し、他方のリングネットワーク側では、ＮＥ５のＷＥＳＴ側のオーダワイヤ回線を遮断することが考えられる。
【０００９】
しかし、複数のＮＥ２，ＮＥ３間は、二重の伝送路を介して接続していることにより、オーダワイヤ回線が、ＮＥ２，ＮＥ３間でループを形成する問題がある。このＮＥ２，ＮＥ３間のループを形成しないように、手動でオーダワイヤ回線を設定することが考えられるが、障害発生時の自動救済機能を発揮させることが不可能となる。又メッシュ状のネットワークに於いても、オーダワイヤ回線がループを形成しないように手動で設定することが考えられるが、障害発生時の自動救済が不可能となる問題がある。
【００１０】
本発明は、オーダワイヤ回線をループが生じないように自動形成し、且つ障害発生時の自動救済も可能とすることを目的とする。
【００１１】
【課題を解決するための手段】
本発明のオーダワイヤ制御システムは、図１を参照して説明すると、複数のネットワーク・エレメントＮＥ１〜ＮＥ５間をリング状或いはメッシュ状等の伝送路により接続したネットワークに於けるオーダワイヤ回線を設定するオーダワイヤ制御システムであって、ネットワーク・エレメントＮＥ１〜ＮＥ５は、オーダワイヤ回線を設定するオーダワイヤ制御装置１を備え、このオーダワイヤ制御装置１は、オーダワイヤ用バイトとオーダワイヤ回線を設定する為の回線接続設定情報バイトとを分離抽出する入力ポート対応の通信手段２ａと、オーダワイヤ用バイトの選択加算機能を含む回線接続手段６と、回線接続手段６からのオーダワイヤ用バイトと回線接続設定情報バイトとを多重化して送出する出力ポート対応の通信手段２ｂと、回線接続設定情報バイトの処理する設定制御手段４とを備え、この設定制御手段４は、受信した最小値の回線接続設定情報バイトの入力ポートを受信元とし、この入力ポート対応の出力ポートから最大値の回線接続設定情報バイトを返送し、且つ他の出力ポートから受信回線接続設定情報バイトに１を加算した値の回線接続設定情報を送出し、送信元の入力ポート及びこの入力ポート対応の出力ポートと、最大値の回線接続設定情報バイトを受信した入力ポート及びこの入力ポート対応の出力ポートとを、オーダワイヤ回線用のポートに設定する制御機能を備えている。
【００１２】
又複数のネットワーク・エレメントＮＥ１〜ＮＥ５の中の１個をマスタ局に設定し、このマスタ局のオーダワイヤ制御装置１の設定制御手段４は、最小値、例えば、オール“０”の回線接続設定情報バイトを全出力ポートから送出し、最大値、例えば、オール“１”の回線接続設定情報バイトを受信した入力ポートと、この入力ポート対応の出力ポートとを組としてオーダワイヤ回線用のポートに設定する制御機能を備えている。
【００１３】
又他のネットワーク・エレメントと接続され、オーダワイヤ回線を該他のネットワーク・エレメントとの間で形成する為のオーダワイヤ制御装置１を備えたネットワーク・エレメントであって、オーダワイヤ制御装置１は、オーダワイヤ用バイトとオーダワイヤ回線を設定する為の回線接続設定情報バイトとを分離抽出する入力ポート対応の通信手段２ａと、オーダワイヤ用バイトの選択加算機能を含む回線接続手段６と、この回線接続手段６からのオーダワイヤ用バイトと回線接続設定情報バイトとを多重化して送出する出力ポート対応の通信手段２ｂと、回線接続設定情報バイトの処理する設定制御手段４とを備え、この設定制御手段４は、受信した最小値の回線接続設定情報バイトの入力ポートを受信元とし、この入力ポート対応の出力ポートから最大値の回線接続設定情報バイトを返送し、且つ他の出力ポートから受信回線接続設定情報バイトに１を加算した値の回線接続設定情報を送出し、送信元の入力ポート及びこの入力ポート対応の出力ポートと、最大値の回線接続設定情報バイトを受信した入力ポート及びこの入力ポート対応の出力ポートとを、オーダワイヤ回線用のポートに設定する制御機能を備えている。
【００１４】
又本発明のオーダワイヤ制御方法は、複数のネットワーク・エレメントＮＥ１〜ＮＥ５間をリング状或いはメッシュ状の伝送路により接続したネットワークに於いてオーダワイヤ回線を設定するオーダワイヤ制御方法であって、ネットワーク・エレメントＮＥ１〜ＮＥ５のオーダワイヤ制御装置１の設定制御手段４により、最小値の回線接続設定情報バイトの入力ポートを受信元とし、この入力ポート対応の出力ポートから最大値の回線接続設定情報バイトを返送し、且つ他の出力ポートから受信回線接続設定情報バイトに１を加算した値の回線接続設定情報バイトを送出し、送信元とした入力ポート及びこの入力ポート対応の出力ポートと、最大値の回線接続設定情報バイトを受信した入力ポート及びこの入力ポート対応の出力ポートとを、オーダワイヤ回線用のポートに設定する過程を含むものである。
【００１５】
又複数のネットワーク・エレメントＮＥ１〜ＮＥ５の中の１個をマスタ局に設定し、このマスタ局は、先ず、最小値、例えば、オール“０”の回線接続設定情報バイトを全出力ポートから送出する。この回線接続設定情報バイトに対して他のネットワーク・エレメントが返送した最大値、例えば、オール“１”の回線接続設定情報バイトを受信した入力ポートを識別し、この入力ポートと、これに対応する出力ポートとを組として、オーダワイヤ回線用のポートに設定する過程を含むものである。
【００１６】
【発明の実施の形態】
図１は本発明の実施の形態の説明図であり、複数のネットワーク・エレメント、即ち、ＮＥ１〜ＮＥ５をリング状に接続したリングネットワークＲＮ１，ＲＮ２を、ＮＥ３，ＮＥ４を介して相互に接続したネットワークを示し、５はオーダワイヤ回線を介して通話する為の電話機を示す。又ＮＥ１〜ＮＥ５は、ＳＯＮＥＴ／ＳＤＨフレームの送受信を行う構成を備えると共に、オーダワイヤ制御装置１を備えており、その中のＮＥ４に於けるオーダワイヤ制御装置１の要部を示している。このオーダワイヤ制御装置１に於いて、２ａ，２ｂは通信手段、３は障害検出手段、４は設定制御手段、５ａは電話機の送話器、５ｂは電話機の受話器、６は回線接続手段を示す。又Ｌｉｎ１〜Ｌｉｎｎは入力ポート対応の回線、Ｌｏｕｔ１〜Ｌｏｕｔｎは出力ポート対応の回線を示す。
【００１７】
オーダワイヤ回線の設定は、前述のＳＯＮＥＴ／ＳＤＨフレームのオーバーヘッドの複数の空きバイトの中の予め設定した位置の空きバイトを用いて、オーダワイヤ回線設定用の回線接続設定情報バイトを伝送するものである。この回線接続設定情報バイトに従って設定されたオーダワイヤ回線を介して、前述のＥ１，Ｅ２バイトにより通話を行うものである。従って、オーダワイヤ制御装置１に於ける入力ポート側の通信手段２ａは、ＳＯＮＥＴ／ＳＤＨフレームのオーバーヘッドからオーダワイヤ用バイト、即ち、Ｅ１，Ｅ２バイトと、回線接続設定情報バイトとを分離抽出し、回線接続設定情報バイトを設定制御手段４に転送し、Ｅ１，Ｅ２バイトは回線接続手段６に転送する。回線接続手段６は、Ｅ１，Ｅ２バイトによる音声情報の加算機能を備えている。又出力ポート側の通信手段２ｂは、回線接続手段６からのＥ１，Ｅ２バイトと、設定制御手段４からの回線接続設定情報バイトとをオーバーヘッドの所定の位置に挿入して送出する機能を備えている。
【００１８】
又設定制御手段４は、マスタ局とスレーブ局との設定に従った回線接続設定情報バイトの処理を行い、その処理結果に応じて回線接続手段６を制御し、且つ処理した回線接続設定情報バイトを通信手段２ｂを介して送出する。又障害検出手段３は、回線断や障害情報等を検出し、通信手段２ａ及び設定制御手段４に通知する。
【００１９】
通信手段２ａ，２ｂは、図２に示す要部を有するもので、８は多重分離部（ＤＭＵＸ）、９は無効通知部、１０は多重化部（ＭＵＸ）を示す。回線Ｌｉｎｉ（ｉ＝１〜ｎ）を介して受信したＥ１，Ｅ２バイト及び回線接続設定情報バイトを多重分離部８により分離し、Ｅ１，Ｅ２バイトは回線接続手段６へ転送し、回線接続設定情報バイトを無効通知部９を介して設定制御手段４へ転送する。又障害検出手段３からの障害検出情報が無効通知部９に入力された時は、回線接続設定情報を無効情報として設定制御手段４に転送する。又多重化部１０は、回線接続手段６からのＥ１，Ｅ２バイトと、設定制御手段４からの回線接続設定情報バイトとをオーバーヘッドの所定位置に多重化して、回線Ｌｏｕｔｊ（ｊ＝１〜ｎ）に送出する。
【００２０】
図３は設定制御手段の要部説明図であり、１１はマスタ局か否かを設定する設定部、１３は受信元選択部、１４はＡｌｌ“１”送信部、１５は加算部、１６は送信回線判定部を示す。又（Ｌｉｎ１）〜（Ｌｉｎｎ）は、入力ポート対応の回線Ｌｉｎ１〜Ｌｉｎｎと通信手段２ａを介して接続されることを示し、又（Ｌｏｕｔ１）〜（Ｌｏｕｔｎ）は、出力ポート対応の回線Ｌｏｕｔ１〜Ｌｏｕｔｎと通信手段２ｂを介して接続されることを示す。
【００２１】
オーダワイヤ回線の設定時には、ネットワーク内のＮＥの何れか１個をマスタ局に設定し、他はスレーブ局とする。即ち、設定部１１にマスタ局か否かを設定する。マスタ局に設定されると、送信回線判定部１６は、設定部１１の設定情報に従って出力ポート対応の通信手段２ｂに、最小値、例えば、オール“０”の回線接続設定情報バイトを送出する。通信手段２ｂは、オーバーヘッドの予め定めた空きバイトを回線接続設定情報バイト用とし、オール“０”の回線接続設定情報バイトを挿入して、マスタ局の全出力ポートに接続された回線に送出する。
【００２２】
又回線接続設定情報バイトを受信した場合、受信元選択部１３は、複数の受信回線接続設定情報バイトの中の最小値を示す入力ポートを受信元に設定して、送信回線判定部１６に通知する。又その最小値の回線接続設定情報バイトを加算部１５に転送して１を加算する。例えば、最小値の回線接続設定情報バイトを、回線Ｌｉｎ２を介して受信したとすると、加算部１５に於いて回線接続設定情報バイトの値に対して１を加算する。この場合、オール“０”の回線接続設定情報バイトをマスタ局から受信したスレーブ局は、この回線接続設定情報バイトの値を１として、次のスレーブ局へ送出する。
【００２３】
又最小値の回線接続設定情報バイトを受信した入力ポート対応の出力ポートから、送信回線判定部１６の制御により、Ａｌｌ“１”送信部１４からの最大値としてのオール“１”の回線接続設定情報バイトを返送する。従って、図３に於いては、回線Ｌｉｎ２を介して受信した最小値の回線接続設定情報バイトに加算部１５により＋１し、回線Ｌｉｎ２に対応する回線Ｌｏｕｔ２以外の回線Ｌｏｕｔ１，Ｌｏｕｔｎに送出し、回線Ｌｉｎ２に対応する回線Ｌｏｕｔ２にＡｌｌ“１”送信部１４から最大値としてのオール“１”の回線接続設定情報バイトを返送する場合を示している。即ち、最小値の回線接続設定情報バイトを受信した入力ポート対応の出力ポートから最大値の回線接続設定情報バイトを送出する。
【００２４】
このように、マスタ局は、オーダワイヤ回線の設定開始時に、最小値のオール“０”の回線接続設定情報バイトを受信した相手局から最大値のオール“１”の回線接続設定情報バイトを受信することになる。又複数の入力ポート対応の回線を介して回線接続設定情報バイトを受信した場合は、受信元選択部１３は、その値が最小のものを選択して加算部１５に転送し、且つ送信回線判定部１６に通知する。又回線接続設定情報バイトが同一値の場合は、予め設定した順番、例えば、ポート番号の若番順に従って選択した入力ポート対応の受信回線接続設定情報バイトを加算部１５に転送する。即ち、受信元は、複数の入力ポートの中の１個の入力ポートとして選択され、又回線接続設定情報バイトは、ＮＥを介して転送される毎に、１が加算された値となる。
【００２５】
図４は受信元選択部の動作フローチャートを示し、ｉ＝１、受信元＝ｉ、最小値＝受信値（ｉ）とする（Ａ１）。この場合、入力ポート番号をｉとし、送信元をこの入力ポート番号ｉに対応させ、番号ｉの入力ポートの回線接続設定情報バイトの値を受信値（ｉ）とし、先ず、これを最小値とする。前述のオーダワイヤ回線の設定開始時のオール“０”の回線接続設定情報バイトを受信した場合は、受信値＝０となる。
【００２６】
そして、ＯＷ（オーダワイヤ）機能を使用するか否かを判定し（Ａ２）、使用しない場合は、処理を終了する。又使用する場合は、再度ｉ＝１とし（Ａ３）、ｉ＜ｎか否か、即ち、入力ポート番号ｉが全入力ポート数を超えたか否かを判定する（Ａ４）。超えている場合は、ステップ（Ａ２）に移行する。超えていない場合は、ｉ＝ｉ＋１とする（Ａ５）。即ち、次の入力ポート番号についての処理を行う。
【００２７】
そして、受信値（ｉ）が有効か否かを判定し（Ａ６）、有効でない場合、例えば、障害検出手段３（図１参照）により障害を検出した障害検出情報が無効通知部９（図２参照）に入力されると、設定制御手段４には無効通知が転送されるから、受信値（ｉ）は有効でない場合に相当し、ステップ（Ａ４）に移行して、次の入力ポート番号について処理を行う。又有効の場合は、受信値（ｉ）が最小値より小さいか否かを判定し（Ａ７）、最小値より受信値（ｉ）が大きい場合は、ステップ（Ａ４）に移行し、小さい場合は、この場合の受信元＝ｉ、最小値＝受信値（ｉ）に更新し（Ａ８）、ステップ（Ａ４）に移行する。それにより、複数の入力ポートに対して、回線接続設定情報バイトの値が最小の入力ポートを、オーダワイヤ回線の受信元として設定することができる。
【００２８】
図５は回線接続状態の説明図であり、受信した回線接続設定情報バイトがオール“１”と、最小値との回線対応の相手局との間にオーダワイヤ回線を設定するものであり、又回線接続手段は、音声情報の加算部を含むもので、（Ａ）は、回線接続設定情報バイトが、回線１，ｎは最大値のオール“１”、回線２は最小値の１の場合を示し、送話を行った場合に、その送話音声情報は、回線接続手段に於いて他の回線からの音声情報に加算されて、回線１には、回線２＋回線ｎ＋送話として示すように送出され、回線２には、回線１＋回線ｎ＋送話として示すように送出され、回線ｎには、回線１＋回線２＋送話として示すように送出される。又回線１，２，ｎを介した音声情報はそれぞれ加算されて受話として示すように受信することができる。
【００２９】
又図５の（Ｂ）に於いては、回線１の回線接続設定情報バイトの値が２、回線２の回線接続設定情報バイトの値が１の場合を示し、従って、受信値が、最大値のオール“１”と最小値との何れでもない回線１については、オーダワイヤ回線として設定しないので、回線接続手段は、この回線１を接続しない。即ち、回線１についてはオーダワイヤ回線を設定しないことになる。
【００３０】
図６〜図８はオーダワイヤ回線設定動作説明図であり、図６の（Ａ）は図１に示すネットワーク構成と同一の構成に於ける初期状態を示し、矢印は二重リング伝送路に於ける伝送方向を示している。そして、図６の（Ｂ）に示すように、オーダワイヤ回線の設定の為にマスタ局を設定する。以下ＮＥ１をマスタ局、ＮＥ２〜ＮＥ５をスレーブ局に設定した場合を示し、Ｐ１〜Ｐ４は、入力ポートと出力ポートとを対応させて同一のポート番号として示す。又‘００は、回線接続設定情報バイトがオール“０”の最小値の場合を示す。なお、オーダワイヤ回線設定開始前の初期状態に於いては、各ＮＥ１〜ＮＥ５からの回線接続設定情報バイトの値は不定の状態となる場合が一般的であるが、予め所定の値に設定することも可能である。
【００３１】
マスタ局として、ＮＥ１のオーダワイヤ制御装置１の設定制御手段４の設定部１１（図３参照）に設定すると、送信回線判定部１６から全出力ポートに対して、即ち、ＮＥ１のポートＰ１，Ｐ２から回線接続設定情報バイトを‘００として示す最小値のオール“０”として送出する。なお、マスタ局として設定しない他のスレーブ局のＮＥ２〜ＮＥ５の各ポートからも最小値のオール“０”の回線接続設定情報バイトを送出している状態を示しているが、この場合のオーダワイヤ回線の最終設定状態には影響しないものである。そして、図７の（Ｃ）に示すように、ＮＥ２がポートＰ１により、ＮＥ１からのオール“０”の回線接続設定情報バイトを受信すると、‘ＦＦとして示す最大値のオール“１”の回線接続設定情報バイトをポートＰ１からＮＥ１に返送し、又ポートＰ１により受信したオール“０”の回線接続設定情報バイトに対して、加算部１５（図３参照）により１を加算して、他のポートＰ２から‘０１として示す回線接続設定情報バイトを送出する。
【００３２】
又ＮＥ４は、マスタ局のＮＥ１のポートＰ１からのオール“０”（‘００）の回線接続設定情報バイトを受信する前に、伝送距離差等により、ＮＥ３のポートＰ２，Ｐ３からのオール“０”（‘００）の回線接続設定情報バイトをポートＰ１、Ｐ４により受信して回線設定処理を開始した場合を示すもので、ポートＰ１〜Ｐ４の中の若番のポートＰ１の受信回線接続設定情報バイトが最小値を示している状態であるから、最大値のオール“１”（‘ＦＦ）の回線接続設定情報バイトをポートＰ１からＮＥ３のポートＰ２へ返送し、且つ受信したオール“０”（‘００）の回線接続設定情報バイトに＋１して、他のポートＰ２，Ｐ３，Ｐ４から‘０１として示す回線接続設定情報バイトを送出する。この時、未だＮＥ３，ＮＥ５は、オール“０”（‘００）の回線接続設定情報バイトを送出している状態の場合を示す。
【００３３】
次に、図７の（Ｄ）に示すように、マスタ局のＮＥ１のポートＰ１，Ｐ２からはオール“０”（‘００）の回線接続設定情報バイトを送信し、ＮＥ２のポートＰ１から最大値のオール“１”（‘ＦＦ）の回線接続設定情報バイトを送信し、ポートＰ２から‘０１の回線接続設定情報バイトを送信し、ＮＥ４のポートＰ１からオール“１”（‘ＦＦ）の回線接続設定情報バイトを送信し、他のポートＰ２〜Ｐ４から‘０１の回線接続設定情報バイトを送信する。又ＮＥ３は、前述の図７の（Ｃ）に示す状態に於いて、ポートＰ１，Ｐ３により‘０１の回線接続設定情報バイトを受信し、ポートＰ２によりＮＥ４からの最大値のオール“１”（‘ＦＦ）の回線接続設定情報バイトを受信し、ポートＰ４によりＮＥ４からの最小値のオール“０”（‘００）の回線接続設定情報バイトを受信したことにより、図７の（Ｄ）に示すように、最小値受信ポート対応のポートＰ４から最大値のオール“１”（‘ＦＦ）の回線接続設定情報バイトを送信し、他のポートＰ１〜Ｐ３から受信最小値に＋１した‘０１の回線接続設定情報バイトを送信する。
【００３４】
又ＮＥ５は、図７の（Ｃ）に示す状態に於いて、ＮＥ３からのオール“０”の回線接続設定情報バイトをポートＰ２で受信し、他のポートＰ１では、ＮＥ４からの‘０１の回線接続設定情報バイトを受信したことにより、図７の（Ｄ）に示すように、最小値の回線接続設定情報バイトを受信したポートＰ２を受信元として、ポートＰ２から最大値のオール“１”（‘ＦＦ）の回線接続設定情報バイトを返送する。この場合、ＮＥ３，ＮＥ５間のオーダワイヤ回線は未だ設定完了の状態となっていない。即ち、ＮＥ５は、ポートＰ２により最大値のオール“１”の回線接続設定情報バイトを受信し、且つそのポートＰ２から最大値のオール“１”の回線接続設定情報バイトを送信している。
【００３５】
そして、ＮＥ３は、ボートＰ１，Ｐ３により、‘０１の同一値の回線接続設定情報バイトを受信し、ポートＰ２，Ｐ４により最大値のオール“１”（‘ＦＦ）の回線接続設定情報バイトを受信しており、同一最小値の回線接続設定情報バイトのポート選択手手順として、前述のように、ポート番号の中の若番を選択するように設定すると、この場合は、ポートＰ１，Ｐ３の中のポートＰ１を受信元に設定することになる。即ち、図８の（Ｅ）に示すように、ＮＥ３は、ポートＰ１からオール“１”の回線接続設定情報を返送する。そして、ＮＥ２からの‘０１の回線接続設定情報バイトに＋１し、‘０２の回線接続設定情報バイトとして、ポートＰ２〜Ｐ４から送出する。ＮＥ５は、ポートＰ１に‘０１の回線接続設定情報バイトを受信し、ポートＰ２に‘０２の回線接続設定情報バイトを受信することになり、最小値受信の中の若番のポートＰ１を受信元に選定して、ポートＰ１からオール“１”（‘ＦＦ）の回線接続設定情報バイトを返送する。
【００３６】
マスタ局のＮＥ１以外は、最小値の回線接続設定情報バイトを受信した入力ポートと、これに対応してオール“１”（‘ＦＦ）の回線接続設定情報バイトを送出した出力ポートとを組とし、又最大値のオール“１”（‘ＦＦ）の回線接続設定情報バイトを受信した入力ポートと、この入力ポートに対応した出力ポートとを組として、オーダワイヤ回線用の接続ポートを設定する。従って、図８の（Ｆ）に示すように、ＮＥ３のポートＰ１→ＮＥ２のポートＰ２，Ｐ１→ＮＥ１のポートＰ２，Ｐ１→ＮＥ４のポートＰ２，Ｐ３→ＮＥ５のポートＰ１の経路のオーダワイヤ回線が設定される。このオーダワイヤ回線は、ループを形成することがなく、従って、ハウリングが発生することはない。
【００３７】
図９及び図１０は、障害発生時の動作説明図であり、図８の（Ｅ），（Ｆ）に示すオーダワイヤ回線の接続状態に於いて、図９の（Ａ）に示すように、ＮＥ１，ＮＥ４間で障害が発生すると、ＮＥ１は、ＮＥ４からのオール“１”の回線接続設定情報バイトを受信できず、又ＮＥ４は、ＮＥ１からのオール“０”の回線接続設定情報バイトを受信できない状態となる。この場合、ＮＥ４に於ける障害検出手段３による障害検出情報が無効通知部９（図２参照）に入力され、設定制御手段４に対して無効通知が行われる。
【００３８】
そして、図９の（Ｂ）に示すように、ＮＥ４のポートＰ１〜Ｐ４で受信する回線接続設定情報バイトの値の中の最小の値としては、ポートＰ１，Ｐ４に於けるＮＥ３からの‘０２の回線接続設定情報バイトとなる。この同一値の回線接続設定情報バイトについて、若番のポートＰ１を受信元に選択することになり、このポートＰ１からオール“１”の回線接続設定情報バイトを返送し、他のポートＰ２〜Ｐ４から、その最小値の‘０２の回線接続設定情報バイトに１を加算して、‘０２＋１＝‘０３の回線接続設定情報バイトを送出する。
【００３９】
又ＮＥ５は、ポートＰ１に‘０３、ポートＰ２に‘０２の回線接続設定情報バイトを受信することになるから、図１０の（Ｃ）に示すように、最小値のポートＰ２を受信元として、オール“１”の回線接続設定情報バイトを返送し、ポートＰ１から‘０２＋１＝‘０３の回線接続設定情報バイトを送出する。それによって、図１０の（Ｄ）に示すように、ＮＥ１のポートＰ２→ＮＥ２のポートＰ１，Ｐ２→ＮＥ３のポートＰ１，Ｐ３→ＮＥ５のポートＰ２及びＮＥ３のポートＰ２→ＮＥ４のポートＰ１の経路でオーダワイヤ回線が設定される。即ち、図８の（Ｆ）に示すオーダワイヤ回線の経路が、ＮＥ１，ＮＥ４間の障害により、自動的に図１０の（Ｄ）に示す経路に切替えられる。従って、リングプロテクション機能とリングリストア機能とを備えていることになる。
【００４０】
図１１はメッシュ状のネットワークの説明図であり、Ａ−１〜Ｅ−５の交点上のＮＥをそれぞれ伝送路により接続し、且つＣ−３のＮＥを中心に、Ａ−１〜Ｅ−５のＮＥ間及びＡ−５〜Ｅ−１のＮＥ間の伝送路により接続し、又Ｃ−１〜Ｃ−５のＮＥ間及びＡ−３〜Ｅ−３のＮＥ間は二重化された伝送路により接続したネットワークを示し、中心のＮＥは、下方に示すように１２個のポートＰ１〜Ｐ１２を有する場合を示す。
【００４１】
このようなメッシュ状のネットワークに於いて、Ｃ−３の位置のＮＥをマスタ局Ｍとし、ポートＰ１〜Ｐ１２の中の１個のポートＰ１から回線接続設定情報バイトを送出して、オーダワイヤ回線を順次設定する場合、図１２の太線で示す経路のオーダワイヤ回線が設定される。このオーダワイヤ回線はループを形成しないように設定することができるが、マスタ局ＭからのＮＥの接続個数が、それぞれ丸印の中の数値で示すものとなる。従って、Ｃ−３のマスタ局Ｍから２個目となるＮＥは、Ａ−３，Ｂ２，Ｂ４の位置のＮＥとなるが、他のＮＥは、３個目以上となり、例えば、Ｅ−３の位置のＮＥは、マスタ局から６個目となる。即ち、ループが形成されないが、回線が長くなり過ぎることから、通話に支障が生じる可能性を含むことになる。
【００４２】
これに対して、本発明を適用すると、図１３に示すように、Ｃ−３の位置のマスタ局Ｍから最小値の例えばオール“０”の回線接続設定情報バイトを含むフレームを全ポートＰ１〜Ｐ１２から送出する。それにより、例えば、Ｂ−３のＮＥは、ポートＰ３，Ｐ４により受信した回線接続設定情報バイトの値は同一のオール“０”であるから、例えば、若番のポートＰ３を選択して受信元とし、オール“１”の回線接続設定情報バイトをマスタ局Ｍに返送する。そして、このＢ−３のＮＥは、他のポートＰ１，Ｐ２，Ｐ４〜Ｐ６から、０＋１＝１の値の回線接続設定情報バイトを送出する。
【００４３】
又Ａ−３のＮＥは、Ｂ−３のＮＥのポートＰ１，Ｐ６からの回線接続設定情報バイトを受信すると、同一値を示すので、若番のポートＰ３を選択して受信元とし、オール“１”の回線接続設定情報バイトを返送する。このような手順を各ＮＥが実行することにより、太線で示すループのない経路のオーダワイヤ回線が設定される。この場合、中心のマスタ局Ｍからの接続個数を丸印の中の数値として示している。即ち、マスタ局Ｍから最大でも２個目となるように、オーダワイヤ回線が設定されることになる。
【００４４】
又このオーダワイヤ回線の障害発生時には、障害発生の回線の入力ポートの回線接続設定情報バイトを無効バイトとすることにより、他の入力ポートの受信回線接続設定情報バイトの中の最小値を選択し、その入力ポートを受信元に設定し、その入力ポートに対応する出力ポートから最大値のオール“１”の回線接続設定情報バイトを返送し、他の出力ポートには、最小値に１を加算した値の回線接続設定情報バイトを送出する。それにより、オーダワイヤ回線の接続の切替えが自動的に行われる。
【００４５】
（付記１）複数のネットワーク・エレメント間にオーダワイヤ回線を設定するオーダワイヤ制御システムに於いて、前記ネットワーク・エレメントは、オーダワイヤ回線を設定するオーダワイヤ制御装置を備え、該オーダワイヤ制御装置は、オーダワイヤ用バイトとオーダワイヤ回線を設定する為の回線接続設定情報バイトとを分離抽出する入力ポート対応の通信手段と、前記オーダワイヤ用バイトの選択加算機能を含む回線接続手段と、該回線接続手段からのオーダワイヤ用バイトと回線接続設定情報バイトとを多重化して送出する出力ポート対応の通信手段と、前記回線接続設定情報バイトの処理する設定制御手段とを備え、該設定制御手段は、受信した最小値の回線接続設定情報バイトの入力ポートを受信元とし、該入力ポート対応の出力ポートから最大値の回線接続設定情報バイトを返送し、且つ他の出力ポートから受信回線接続設定情報バイトに１を加算した値の回線接続設定情報を送出し、前記送信元の入力ポート及び該入力ポート対応の出力ポートと、前記最大値の回線接続設定情報バイトを受信した入力ポート及び該入力ポート対応の出力ポートとを前記オーダワイヤ回線用のポートに設定する制御機能を備えたことを特徴とするオーダワイヤ制御システム。
【００４６】
（付記２）前記複数のネットワーク・エレメントの中の１個をマスタ局に設定し、該マスタ局の前記オーダワイヤ制御装置の前記設定制御手段は、最小値の回線接続設定情報バイトを全出力ポートから送出し、最大値の回線接続設定情報バイトを受信した入力ポートと該入力ポート対応の出力ポートとを組としてオーダワイヤ回線用のポートに設定する制御機能を備えたことを特徴とする付記１記載のオーダワイヤ制御システム。
（付記３）前記設定制御手段は、回線接続設定情報バイトの最小値の入力ポートを受信元に選定する受信元選択部と、該受信元の入力ポートに対応する出力ポートから最大値の回線接続設定情報バイトを送出し、他の出力ポートに前記最小値に１を加算した回線接続設定情報バイトを送出する送信回線判定部とを備えていることを特徴とする付記１又は２記載のオーダワイヤ制御システム。
（付記４）前記オーダワイヤ制御装置は、障害検出により前記回線接続設定情報バイトを無効として前記設定制御手段に通知する障害検出手段を備えていることを特徴とする付記１乃至３の何れかに記載のオーダワイヤ制御システム。
（付記５）前記オーダワイヤ制御装置は、ＳＯＮＥＴ／ＳＤＨフレームのオーバーヘッドの予め定めた位置の空きバイトに、前記回線接続設定情報バイトを挿入して送出する構成を備えたことを特徴とする付記１乃至４の何れかに記載のオーダワイヤ制御システム。
【００４７】
（付記６）他のネットワーク・エレメントと接続され、オーダワイヤ回線を該他のネットワーク・エレメントとの間で形成する為のオーダワイヤ制御装置を備えたネットワーク・エレメントに於いて、前記オーダワイヤ制御装置は、オーダワイヤ用バイトとオーダワイヤ回線を設定する為の回線接続設定情報バイトとを分離抽出する入力ポート対応の通信手段と、前記オーダワイヤ用バイトの選択加算機能を含む回線接続手段と、該回線接続手段からのオーダワイヤ用バイトと回線接続設定情報バイトとを多重化して送出する出力ポート対応の通信手段と、前記回線接続設定情報バイトの処理する設定制御手段とを備え、該設定制御手段は、受信した最小値の回線接続設定情報バイトの入力ポートを受信元とし、該入力ポート対応の出力ポートから最大値の回線接続設定情報バイトを返送し、且つ他の出力ポートから受信回線接続設定情報バイトに１を加算した値の回線接続設定情報を送出し、前記送信元の入力ポート及び該入力ポート対応の出力ポートと、前記最大値の回線接続設定情報バイトを受信した入力ポート及び該入力ポート対応の出力ポートとを前記オーダワイヤ回線用のポートに設定する制御機能を備えたことを特徴とするネットワーク・エレメント。
【００４８】
（付記７）複数のネットワーク・エレメント間にオーダワイヤ回線を設定するオーダワイヤ制御方法に於いて、前記ネットワーク・エレメントのオーダワイヤ制御装置の設定制御手段により、最小値の回線接続設定情報バイトの入力ポートを受信元とし、該入力ポート対応の出力ポートから最大値の回線接続設定情報バイトを返送し、且つ他の出力ポートから受信回線接続設定情報バイトに１を加算した値の回線接続設定情報バイトを送出し、前記送信元とした入力ポート及び該入力ポート対応の出力ポートと、前記最大値の回線接続設定情報バイトを受信した入力ポート及び該入力ポート対応の出力ポートとを、オーダワイヤ回線用のポートに設定する過程を含むことを特徴とするオーダワイヤ制御方法。
（付記８）前記複数のネットワーク・エレメントの中の１個をマスタ局に設定し、該マスタ局は、最小値の回線接続設定情報バイトを全出力ポートから送出し、最大値の回線接続設定情報バイトを受信した入力ポートと、該入力ポート対応の出力ポートとを組として、オーダワイヤ回線用のポートに設定する過程を含むことを特徴とする付記６記載のオーダワイヤ制御方法。
（付記９）障害検出した入力ポート対応の回線接続設定情報バイトを無効として設定制御手段に通知し、該設定制御手段は、受信回線接続設定情報バイトの最小値を示す入力ポートを選択し、該最小値を示す入力ポートを受信元に設定して該入力ポート対応の出力ポートに最大値の回線接続設定情報バイトを返送し、前記送信元とした入力ポート及び該入力ポート対応の出力ポートと、前記最大値の回線接続設定情報バイトを受信した入力ポート及び該入力ポート対応の出力ポートとを、オーダワイヤ回線用のポートに設定する過程を含むことを特徴とする付記６又は７記載のオーダワイヤ制御方法。
【００４９】
【発明の効果】
以上説明したように、本発明は、複数のＮＥを含む複雑且つ大規模のネットワークに於いても、マスタ局を設定して、マスタ局から全出力ポートに最小値の例えばオール“０”の回線接続設定情報バイトを送出して、オーダワイヤ回線の設定を開始し、マスタ局以外のスレーブ局に於いては、最小値の回線接続設定情報バイトを受信した入力ポートを受信元とし、この入力ポート対応の出力ポートから最大値の例えばオール“１”の回線接続設定情報バイトを返送し、他の出力ポートから受信回線接続設定情報バイトに１を加算した値の回線接続設定情報バイトを送出するものであり、オーダワイヤ機能の使用／未使用の設定と、マスタ局／スレーブ局の設定とにより、自動的に、リングプロテクテション機能とリングリストア機能とを有するオーダワイヤ回線を設定することができる利点がある。又マスタ局からは最短の経路でオーダワイヤ回線が設定されるから、通話品質の向上を図ることができる利点もある。
【図面の簡単な説明】
【図１】本発明の実施の形態の説明図である。
【図２】通信手段の要部説明図である。
【図３】設定制御手段の要部説明図である。
【図４】受信元選択部の動作フローチャートである。
【図５】回線接続状態の説明図である。
【図６】オーダワイヤ回線設定動作説明図である。
【図７】オーダワイヤ回線設定動作説明図である。
【図８】オーダワイヤ回線設定動作説明図である。
【図９】障害発生時の動作説明図である。
【図１０】障害発生時の動作説明図である。
【図１１】メッシュ状のネットワークの説明図である。
【図１２】単純処理によるオーダワイヤ回線設定の説明図である。
【図１３】本発明の実施の形態のオーダワイヤ回線設定の説明図である。
【図１４】従来例の説明図である。
【図１５】ＳＯＮＥＴ／ＳＤＨフレームフォーマットの説明図である。
【図１６】従来例の説明図である。
【符号の説明】
１  オーダワイヤ制御装置
２ａ，２ｂ  通信手段
３  障害検出手段
４  設定制御手段
５  電話機
５ａ  送話器
５ｂ  受話器
６  回線接続手段
ＮＥ１〜ＮＥ５  ネットワーク・エレメント
ＲＮ１，ＲＮ２  リングネットワーク
【図１】
0003981873.tif 000002
【図２】
0003981873.tif 000003
【図３】
0003981873.tif 000004
【図４】
0003981873.tif 000005
【図５】
0003981873.tif 000006
【図６】
0003981873.tif 000007
【図７】
0003981873.tif 000008
【図８】
0003981873.tif 000009
【図９】
0003981873.tif 000010
【図１０】
0003981873.tif 000011
【図１１】
0003981873.tif 000012
【図１２】
0003981873.tif 000013
【図１３】
0003981873.tif 000014
【図１４】
0003981873.tif 000015
【図１５】
0003981873.tif 000016
【図１６】
0003981873.tif 000017